(57)【特許請求の範囲】
【請求項１】
前方に開口する筐体の両側壁にレール取付部を設定し、前記レール取付部に、引出しの両側を前端部に設けたローラを介して支持するレールを取り付けるようにしたものであって、
前記レールは前端側及び後端側に前係り合い部及び後係り合い部を含み、前記レール取付部は前記前係り合い部及び後係り合い部に対応する位置にこれらを係り合わせる前レール取付部及び後レール取付部を含んでなり、前記前レール取付部は前記筐体の内側に向かって開口しており、前記前係り合い部は、下向き爪部と、前向き爪部又は後向き爪部のいずれかとを有しており、前記ローラの前後方向少なくとも二箇所で前記前レール取付部に係り合うように構成したことを特徴とする引出し装置。
【請求項２】
前方に開口する筐体の両側壁にレール取付部を設定し、前記レール取付部に、引出しの両側を前端部に設けたローラを介して支持するレールを取り付けるようにしたものであって、
前記レールは前端側及び後端側に前係り合い部及び後係り合い部を含み、前記レール取付部は前記前係り合い部及び後係り合い部に対応する位置にこれらを係り合わせる前レール取付部及び後レール取付部を含んでなり、前記前係り合い部を前記ローラの前後方向少なくとも二箇所で前記前レール取付部に係り合うように構成し、前記前係り合い部と前記前レール取付部とが係り合う部位のうちの少なくとも二箇所の間に、一部を切り欠いて肉盗み部を形成したことを特徴とする引出し装置。
【請求項３】
前記前レール取付部は前記筐体の内側に向かって開口しており、前記前係り合い部は、下向き爪部と、前向き爪部又は後向き爪部のいずれかとを有する請求項２に記載の引出し装置。
【請求項４】
前記下向き爪部に対応する前レール取付部は、当該下向き爪部が差し込まれた状態で前記レールの前部を下方に移動させることにより当該下向き爪部と係り合うものであり、
前記前向き爪部又は前記後向き爪部のいずれかに対応する前レール取付部は、前記レールの下方への移動に伴って当該前レール取付部に対応する爪部と係り合うように、当該前レール取付部の前後方向開口幅が当該前レール取付部に対応する爪部の前後方向幅より小さく形成されている請求項１又は３に記載の引出し装置。
【請求項５】
前記後レール取付部及び前記後係り合い部は、当該後レール取付部及び当該後係り合い部を係り合わせた部位を支点として前記レールを回動可能とし、回動動作によって前記前係り合い部が前記前レール取付部に係り合うように構成されている請求項１，３，４のいずれかに記載の引出し装置。
【請求項６】
前記後レール取付部は、前方又は後方のいずれかに向かって開口しており、
前記後係り合い部は、前記レールの後部に設けられ前記後レール取付部が開口する向きの逆方向に向く爪部であり、前記爪部を当該爪部の向く方向へ移動させることにより、前記後レール取付部と係り合わせるものである請求項５に記載の引出し装置。
【請求項７】
前記前係り合い部を構成する爪部のうち少なくとも一つの爪部の上方には、係り合い動作の最後に前記前レール取付部の上縁に嵌り込む突起部が設けられている請求項４〜６のいずれかに記載の引出し装置。
【請求項８】
前記前係り合い部を少なくとも前記ローラの上下方向二箇所で前記前レール取付部に係り合うように構成した請求項１〜７のいずれかに記載の引出し装置。
【請求項９】
請求項１〜８のいずれかに記載の引出し装置を備えたことを特徴とする収納家具。
【発明の詳細な説明】
【技術分野】
【０００１】
本発明は、引出しを備えてなる袖デスクやワゴン等の収納家具に適用される引出し装置に係り、特に引出しを支持するレールと筐体とを着脱可能にした場合に引出しの支持を適正化した引出し装置及びこれを備えた収納家具に関するものである。
【背景技術】
【０００２】
従来のこの種の引出し装置は、特許文献１等に示されるように、前方に開口する筐体の両側壁にレールを配し、これらのレールに引出しの両側を出し入れ可能に支持させるように構成されている。
【０００３】
この引出し装置の一種として特許文献１に示される引出し装置は、レールの前端部及び後端部に一つずつ設けた爪部を筐体の両側壁に設けたレール取付孔に係り合わせてレールを取り付けるようにし所望の位置に対してレールを着脱可能とするとともに、レールの前端部に設けたローラでレールを支持して引出しの円滑な出し入れを実現している。
【先行技術文献】
【特許文献】
【０００４】
【特許文献１】登録実用新案第３００４４３７号公報
【発明の概要】
【発明が解決しようとする課題】
【０００５】
ところで、引出しの出し入れ時にはレールの前端部に大部分の荷重が加わる状態となる等、レールに掛かる引出しの荷重はローラを介してレールの前端部に集中しやすく、レールの前端部には、高い強度で引出しを支持することが求められる。
【０００６】
しかしながら、上記従来の引出し装置のようにレールの前端部に単一の爪部のみを設けたものでは、引出しの荷重や外力への強度が不足しがちであり、より引出しを的確に支持することが望まれる。
【０００７】
また、レールを前後二箇所のみで支持しているので、引出しの出し入れ時にレールの前端部に荷重が加わるときにレールの後端部が浮く傾向があり、レールを前端部で片持ちすることになってレールが揺れやすくなる。
【０００８】
さらに、レールを前後の二点で取り付ける構成であり、レールに高い剛性が要求されるので、レール寸法や製造コストの増大を招く要因となる。
【０００９】
本発明は、このような課題を有効に解決することを目的としている。
【課題を解決するための手段】
【００１０】
本発明は、かかる目的を達成するために、次のような手段を講じたものである。
【００１１】
すなわち、第１の発明の引出し装置は、前方に開口する筐体の両側壁にレール取付部を設定し、前記レール取付部に、引出しの両側を前端部に設けたローラを介して支持するレールを取り付けるようにしたものであって、前記レールは前端側及び後端側に前係り合い部及び後係り合い部を含み、前記レール取付部は前記前係り合い部及び後係り合い部に対応する位置にこれらを係り合わせる前レール取付部及び後レール取付部を含んでなり、前記前レール取付部は前記筐体の内側に向かって開口しており、前記前係り合い部は、下向き爪部と、前向き爪部又は後向き爪部のいずれかとを有しており、前記ローラの前後方向少なくとも二箇所で前記前レール取付部に係り合うように構成したことを特徴とする。
【００１２】
このようにすれば、引出しの荷重を受けるローラの前後方向少なくとも二箇所でレール前端部を支持しているので、荷重を少なくとも二箇所に分散でき、引出しを的確に支持することができる。特に引出しを引き出したときにレールの前端部に大部分の荷重が加わる状態となっても、レールの前端部を少なくとも二点で支持するので、レールを前端部で片持ちすることを避けレールの揺れを低減することができる。また、レール全体で少なくとも三点支持しているので、レール自身に要求される強度が低下し、この要求強度に合わせてレールの剛性を低くして製造コストを低減することが可能になる。さらには、前記前レール取付部は前記筐体の内側に向かって開口しており、前記前係り合い部は、下向き爪部と、前向き爪部又は後向き爪部のいずれかとを有することから、下方に加わる荷重だけでなく、出し入れ時に働く前後方向への外力に対しても強い取付状態を得ることができる。
【００１３】
第２の発明の引出し装置は、前方に開口する筐体の両側壁にレール取付部を設定し、前記レール取付部に、引出しの両側を前端部に設けたローラを介して支持するレールを取り付けるようにしたものであって、前記レールは前端側及び後端側に前係り合い部及び後係り合い部を含み、前記レール取付部は前記前係り合い部及び後係り合い部に対応する位置にこれらを係り合わせる前レール取付部及び後レール取付部を含んでなり、前記前係り合い部を前記ローラの前後方向少なくとも二箇所で前記前レール取付部に係り合うように構成し、前記前係り合い部と前記前レール取付部とが係り合う部位のうちの少なくとも二箇所の間に、一部を切り欠いて肉盗み部を形成したことを特徴とする。この場合には、前係り合い部と前レール取付部とが係り合う部位のうちの少なくとも二箇所の間に、一部を切り欠いて肉盗み部を形成しているため、レールと他の機構との取り合いを解消して配置の自由度を向上させることもできる。
【００１４】
さらに、下方に加わる荷重だけでなく、出し入れ時に働く前後方向への外力に対しても強い取付状態を得るためには、前記前レール取付部は前記筐体の内側に向かって開口しており、前記前係り合い部は、下向き爪部と、前向き爪部又は後向き爪部のいずれかとを有することが好ましい。
【００１５】
上記のように複数の爪部の開く方向を互いに異なるようにしても平易な作業でレールを取り付けることを可能とするためには、前記下向き爪部に対応する前レール取付部は、当該下向き爪部が差し込まれた状態で前記レールの前部を下方に移動させることにより当該下向き爪部と係り合うものであり、前記前向き爪部又は前記後向き爪部のいずれかに対応する前レール取付部は、前記レールの下方への移動に伴って当該前レール取付部に対応する爪部と係り合うように、当該前レール取付部の前後方向開口幅が当該前レール取付部に対応する爪部の前後方向幅より小さく形成されていることが挙げられる。
【００１６】
前係り合い部と前レール取付孔との位置決めを自動的に行って取付作業を平易化するためには、前記後レール取付部及び前記後係り合い部は、当該後レール取付部及び当該後係り合い部を係り合わせた部位を支点として前記レールを回動可能とし、回動動作によって前記前係り合い部が前記前レール取付部に係り合うように構成されていることが望ましい。
【００１７】
組立工程が進むにつれ筐体に組み付けた部品によって前方以外の方向からの作業制約が生じる場合であっても、レールの取付作業の効率を向上させるためには、前記後レール取付部は、前方又は後方のいずれかに向かって開口しており、前記後係り合い部は、前記レールの後部に設けられ前記後レール取付部が開口する向きの逆方向に向く爪部であり、前記爪部を当該爪部の向く方向へ移動させることにより、前記後レール取付部と係り合わせるものであることが好ましい。
【００１８】
レールが外れることを防止するとともに、レールのがたつきを低減させるためには、前記前係り合い部を構成する爪部のうち少なくとも一つの爪部の上方には、係り合い動作の最後に前記前レール取付部の上縁に嵌り込む突起部が設けられていることが有効である。
【００１９】
引き出し時のレールの揺れを低減して引出しを的確に支持するためには、前記前係り合い部を少なくとも前記ローラの上下方向二箇所で前記前レール取付部に係り合うように構成することが好ましい。
【００２０】
本発明の好適な適用対象としては、引出し装置を備える袖デスクやワゴン等の収納家具が挙げられる。
【発明の効果】
【００２１】
本発明の引出し装置は、以上説明した構成であるから、ローラの前後方向両側に設けた係り合い部で荷重を分散し、引出しを的確に支持することができる。また、レールを前端部で片持ちすることを避けレールの揺れを低減することができるほか、レール自身に要求される強度を低下させ、この要求強度に合わせてレールの剛性を低くして製造コストを低減することが可能になる
【図面の簡単な説明】
【００２２】
【図１】本発明の一実施形態を適用した袖デスクの一部分解斜視図。
【図２】同袖デスクを別角度から見た一部分解斜視図。
【図３】同実施形態の引出しラッチ機構を示す斜視図。
【図４】同実施形態の引出しロック機構の一部を示す斜視図。
【図５】同引出しロック機構の原理を示す一部破断した斜視図。
【図６】同引出し装置のレール取付構造を示す斜視図。
【図７】同実施形態におけるレール後部の取り付け手順を示す図。
【図８】同実施形態におけるレール前部の取り付け手順を示す図。
【図９】同実施形態におけるレール前部の取り付け手順を示す斜視図。
【図１０】本発明の他の実施形態に係るレール前部を示す側面図。
【発明を実施するための形態】
【００２３】
以下、本発明の一実施形態を、図面を参照して説明する。
【００２４】
図１及び図２は、本発明の一実施形態に係る引出し装置が適用される収納家具たる袖デスクＤを分解して示すもので、天板Ｄ１の少なくとも一端側を袖部Ｄ２で支持して構成されている。
【００２５】
袖部Ｄ２は、左右の側壁１１を、少なくとも底板１２と背壁（図示しない）と上部横架材１３とにより連結して形成される筐体１を主体とするもので、筐体１の組立後に天板Ｄ１を袖部Ｄ２上に載置し、上部横架材１３に付帯させた図示しないボルトにより締結して組み付けられる。筐体１の内部には、上段に浅い引出し２が、中段及び下段に深い引出し３、４がそれぞれ組み込まれる。
【００２６】
筐体１の側壁１１には、図３等に示すように前縁側に該側壁１１の外板１１ａ、前板１１ｂおよび内板１１ｃの間に扁平な空間を形成する前補強部１１ｘが設けてあり、後縁側に図１及び図２に示すように当該側壁１１の内側に前向き面１１ｄと内向き面１１ｅを形成する後補強部１１ｙが設けてある。そして、前補強部１１ｘと後補強部１１ｙに、それぞれ各引出し２、３、４を出し入れ可能に支持するレール１ａ、１ｂ、１ｃを取り付けている。
【００２７】
この実施形態の上段レール１ａは前端部にローラＲｏを有する固定レールであり、中段レール１ｂは固定レールにローラを有する中間レールを装着したサスペンションレールであり、下段レール１ｃも固定レールにローラを有する中間レールを装着したサスペンションレールである。
【００２８】
上段の引出し２は、収納空間Ｓａを形成する引出し本体２１の前端部に鏡板２３を装着してなるもので、その引出し本体２１の両外側面には、前後に伸びる中空体状の突条２４を設け、その突条２４を袖部１の上段レール１ａにスライド可能に支持させ得るようにしている。中段の引出し３は、収納空間Ｓｂを形成する引出し本体３１の前端部に鏡板３３を装着してなるもので、その引出し本体３１の両外側面には、前後に伸びる中空体状の突条３４を設け、その突条３４を袖部１の中段レール１ｂにスライド可能に支持させ得るようにしている。下段の引出し４は、収納空間Ｓｃを形成する引出し本体４１の前端部に鏡板４３を装着してなるもので、その引出し本体４１の両外側面には、前後に伸びる中空体状の突条４４を設け、その突条３４を袖部１の下段レール１ｃにスライド可能に支持させ得るようにしている。
【００２９】
そして、筐体１と引出し２、３、４との間に、これらの引出し２、３、４を収納位置に係留する引出しラッチ機構５と、これらの引出し２、３、４を収納位置にロックする引出しロック機構６とを構成している。
【００３０】
引出しラッチ機構５は、図１〜図３に示すように、引出し２、３、４に設けたラッチ要素５１ａ、５１ｂ、５１ｃと、引出し２、３、４を収納する筐体１に設けた第１の被係り合い部５２ａ、５２ｂ、５２ｃとから構成される。ラッチ要素５１ａ、５１ｂ、５１ｃは、鏡板２３、３３、４３の裏面から後方に延出した板状のもので、先端を引出し２、３、４の出し入れ方向と略直交する方向に作動させて筐体１の側壁１１に対して接離させるように支持され、且つ引出し本体２１、３１、４１の外側面から離れて筐体１の側壁１１に向かう方向にバネ５０により弾性付勢されている。中段の引出し３の鏡板３３の裏面は実際には図４に示すような裏板３３ａが装着され、他の引出し２、４についても同様であって、図３に示すラッチ要素５１ａ、５１ｂ、５１ｃはこれらの裏板３３等を貫通して後方に延出される。これに対して筐体１側の第１の被係り合い部５２ａ、５２ｂ、５２ｃは、前補強部１１ｘの内板１１ｃに設けられ、引出し２、３、４を収納位置にまで没入させた際に各々のラッチ要素５１ａ、５１ｂ、５１ｃを筐体１の側壁１１の内面に向かう方向に作動させて、第１の被係り合い部５２ａ、５２ｂ、５２ｃに係り合わせるようにしている。引出し２、３、４の鏡板２３、３３、４３にはラッチ要素５１を第１の被係り合い部５２から離脱させるための引出しレバー２０、３０、４０が設けてある。
【００３１】
引出しロック機構６は、図１、図２及び図５に示すように、筐体１側に設けた回転体である施錠レバー６１と、引出し２、３、４側に設けた第２の被係り合い部６２ａ、６２ｂ、６２ｃおよび施錠部６３とから構成される。施錠レバー６１は、筐体１の前補強部１１ｘに形成した空間Ｓに収容された上下方向に長尺なもので、水平旋回可能であって、各引出し２、３、４に対応する高さ位置において一端部より径方向に向けてロック爪６１ａ、６１ｂ、６１ｃを突没させ得るようにしている。筐体１の前補強１１ｘには、図２及び図５（ｂ）に示すように、施錠レバー６１の他端部のうち中段の引出し３に対応する高さ位置を前補強部１１ｘの内板１１ｃの内面側に表出させるための透窓６０が設けてある。一方、図１及び図５（ａ）に示す第２の被係り合い部６２ａ、６２ｂ、６２ｃは、各引出し２、３、４において施錠レバー６１の各ロック爪６１ａ、６１ｂ、６１ｃに対応する位置に設けてある。図５（ａ）で第２の被係り合い部６２ｂ（６２ａ、６２ｃ）は板金をＶ字状に折り曲げたものを図示しているが、実際にこのような形態は図１に示す中段引出し３および下段引出し４の第２の被係り合い部６２ｂ、６２ｃのみで、上段引出し２の第２の被係り合い部６２ａは実際には図１に示すように突条２４を切り欠いて設けた凹部とされている。また、施錠部６３は、図４及び図５（ｂ）に示すように中段の引出し３に設けられて、施錠操作により、図４に示すように鏡板２２の裏面に設けた施錠杆６３ａを水平側方に突没させるように構成されている。この施錠杆６３ａは、中段引出し３の収納位置で図５（ｂ）に示すように前記透窓６０に対向する部位に位置づけられ、錠操作により施錠杆６３ａが側方に突出すると、透窓６０内に進入して施錠レバー６１の他端部を押圧し、これにより施錠レバー６１が矢印方向に回転して、一端部に設けた図５（ａ）のロック爪６１ａ、６１ｂ、６１ｃが想像線で示す位置に突出し、これにより対応する引出し２、３、４の第２の被係り合い部６２ａ、６２ｂ、６２ｃに前後方向に係り合って、引出し２、３、４の引出し動作を禁止するものである。
【００３２】
このような構成において、本実施形態のレール取付構造は、前記各引出し２、３、４に対応するレール１ａ、１ｂ、１ｃを、筐体１の側壁１１の予め定めた割り付け位置に溶接等により固定して取り付けるのではなく、先ず図６に示すように引出し２、３、４の段数に対応するレール取付部７ａ、７ｂ、７ｃを側壁１１に設け、これらのレール取付部７ａ、７ｂ、７ｃに、引出し２、３、４の両側を支持するレール１ａ、１ｂ、１ｃを着脱可能に取り付けるようにしている。その際、本実施形態は、レール取付部７ａ、７ｂ、７ｃをレール１ａ、１ｂ、１ｃに対応させている。
【００３３】
以下、図６を参照して具体的に説明すると、上段のレール取付部７ａは、上段レール１ａの前端側及び後端側を支持すべく前レール取付部７１ａ及び後レール取付部７２ａを含んでいる。後レール取付部７２ａは後補強１１ｙの前向き面１１ｄに前方に開口している。前レール取付部７１ａは、前レール取付孔７３ａ、７４ａを含み、これら前レール取付孔７３ａ、７４ａは前補強１１ｘの内板１１ｃに内側に開口するように設けられている。中段のレール取付部７ｂは、レール１ｂの前端側及び後端側を支持すべく前レール取付孔７１ｂ及び後レール取付孔７２ｂを含んでなり、後レール取付孔７２ｂは後補強１１ｙに前方に開口するように設けられ、前レール取付孔７１ｂは前補強１１ｘに内側に開口するように設けられている。下段のレール取付部７ｃは、レール１ｃの前端側及び後端側を支持すべく前レール取付孔７１ｃ及び後レール取付孔７２ｃを含んでなり、後レール取付孔７２ｃは後補強１１ｙに前方に開口するように設けられ、前レール取付孔７１ｃは前補強１１ｘに内側に開口するように設けられている。ここで「含む」としているのは、必要に応じてレールの前後方向の中間部に更に取付孔が設けられる態様があり得るからである。
【００３４】
一方、図６に示すように、上段のレール取付部７ａに取り付けられる上段のレール１ａは、後部において後向きに開く爪状の後係り合い部８２ａと、前部に前係り合い部８１ａとを有している。前係り合い部８１ａは、向きの異なる複数の爪部から構成すべく、図９に示すように、下向き爪部８３ａと前向き爪部８４ａとからなっている。そして、レール１ａのうち引出２を支持するローラＲｏの後方部位に下向き爪部８３ａを配置し、レール１ａのうちローラＲｏの前方部位に前向き爪部８４ａを配置している。上段レール１ａのうち下向き爪部８３ａの上方には当該下向き爪部８３ａとは逆方向（上方）に切り起こされた突起部８１ａ´が設けられている。前向き爪部８４ａの先端部には、当該前向き爪部８４ａを前レール取付孔７４ａに呼び込むためのガイド部８４ａ’が設けてある。このガイド部８４ａ’は、レール取付時に先に筐体１の側壁１１のレール取付部７ａに近づく方向へ前向き爪部８４ａの尖端を屈曲させ、尖端に向かって幅狭に形成されている。同様に、下向き爪部８３ａの先端部には、当該下向き爪部８３ａを前レール取付孔７３ａに呼び込むためのガイド部８３ａ’が設けてある。このガイド部８３ａ’は、レール取付時に先に筐体１の側壁１１のレール取付部７ａに近づく方向へ下向き爪部８３ａの尖端を屈曲させ、尖端に向かって幅狭に形成されている。なお、前係り合い部８１ａを構成する下向き爪部８３ａ及び前向き爪部８４ａ、並びに後係り合い部８２ａともに切り起こし片である。
【００３５】
ここで前向き爪部８４ａに関連して、前レール取付孔７３ａは、図８（ａ）に示すように、上部の前後方向開口幅Ｗ１が前向き爪部８４ａの前後方向幅Ｗ３より大きく形成されて前向き爪部８４ａが差し込み可能にされており、下部の前後方向開口幅Ｗ２が前向き爪部８４ａの前後方向幅Ｗ３より小さく形成されて前向き爪部８４ａと係り合いを可能にしている。
【００３６】
上記の前係り合い部８１ａを構成する各爪部８３ａ、８４ａと、前レール取付部７１ａを構成する前レール取付孔７３ａ、７４ａとは、下向き爪部８３ａが前レール取付孔７３ａに差し込まれときに、前向き爪部８４ａが前レール取付孔７４ａに差し込まれる位置関係に配置されている。
【００３７】
次に、レール１ａの取り付け手順を、図７〜図９を参照して説明する。図７に示すように、レール１ａを後方に移動させて後係り合い部８２ａを後レール取付部７２ａに差し込み、その状態で後係り合い部８２ａと後レール取付部７２ａとの係り合い部位を支点として図８（ａ）に矢印で示すようにレール１ａの前部を下方に回動させると、この回動動作に伴って図８（ｂ）に示すように、下向き爪部８３ａが前レール取付孔７３ａに差し込まれ、前向き爪部８４ａが前レール取付孔７４ａに差し込まれる。さらに回動動作を継続すると、下向き爪部８３ａの先端部に形成したガイド部８３ａ’の呼び込みにより、下向き爪部８３ａと前レール取付孔７３ａとの係り合いがガイドされる。これと同時もしくは前後して、前向き爪部８４ａの先端部に形成したガイド部８４ａ’の呼び込みにより、前向き爪部８４ａと前レール取付孔７４ａの下部との係り合いがガイドされる。回動動作の最後には、前係り合い部８１ａを構成する下向き爪部８３ａ及び前向き爪部８４ａが前レール取付部７１ａを構成する前レール取付孔７３ａ、７４ａに係り合い、当該上段レール１ａがレール取付部７ａに取り付けられる。この際、図８（ｄ）に示すように、下向き爪部８３ａの上方に設けられた突起部８１ａ´が係り合い動作の最後に前レール取付孔７３ａの上縁に嵌り込む。これにより、図８（ｄ）及び図８（ｅ）に示すように、レール１ａの前端部が筐体１の内板１１ｃに対して上下方向及び前後方向においても的確に取り付けられた状態となる。なお、図８（ｅ）は前向き爪部８４ａと前レール取付孔７４ａとの係り合い部位を示す平断面図であり、図８（ｄ）は下向き爪部８３ａと突起部８１ａ´と前レール取付孔７３ａとの係り合い部位を示す縦断面図である。
【００３８】
図６に示す中段レール１ｂおよび下段レール１ｃにも、上記上段レール１ａと同様の後係り合い部８２ｂ、８２ｃや前係わり合い部８１ｂ、８１ｃ、突起部８１ｂ´、８１ｃ´が設けられている。中段レール１ｂおよび下段レール１ｃは、この実施形態ではローラ式のサスペンションレールである。前係り合い部８１ｂ、８１ｃは、下向き爪部のみから構成しているが、上段レール１ａの前向き爪部８４ａと同様の前向き爪部を中段レール１ｂおよび下段レール１ｃに適用してもよい。
【００３９】
図３に示した引出しロック機構６を構成するロック爪６１ａは、図９に示すようにレール１ａの一部を切り欠いて設けた肉盗み部Ｓｔを介して突没させており、この肉盗み部Ｓｔは、レール１ａのレール幅（高さ方向）を小さくするものである。
【００４０】
なお、上記の前向き爪部８４ａを後向き爪部に変形してもよく、突起部８１ａ´は、前向き爪部８４ａの上方、若しくは下向き爪部８３ａ及び前向き爪部８４ａの双方の上方に配置してもよい。
【００４１】
以上のように、本実施形態の引出し装置は、前方に開口する筐体１の両側壁にレール取付部７ａを設定し、レール取付部７ａに、引出し２の両側を前端部に設けたローラＲｏを介して支持するレール１ａを取り付けるにあたり、レール１ａは前端側及び後端側に前係り合い部８１ａ及び後係り合い部８２ａを含み、レール取付部７ａは前係り合い部８１ａ及び後係り合い部８２ａに対応する位置にこれらを係り合わせる前レール取付部７１ａ及び後レール取付部７２ａを含んでなり、前係り合い部８１ａをローラＲｏの前後方向少なくとも二箇所で前レール取付部７１ａに係り合うように構成したことを特徴とする。
【００４２】
このようにすれば、引出し２の荷重を受けるローラＲｏの前後方向少なくとも二箇所でレール前端部を支持しているので、荷重を少なくとも二箇所、すなわち下向き爪部８３ａ及び前向き爪部８４ａに分散でき、引出し２を的確に支持することができる。特に引出し２を引き出したときにレール１ａの前端部に大部分の荷重が加わる状態となっても、レール１ａの前端部を少なくとも二点、すなわち下向き爪部８３ａ及び前向き爪部８４ａで支持するので、レール１ａを前端部で片持ちすることを避け、レール１ａの揺れを低減することができる。また、レール１ａ全体を少なくとも三点、すなわち下向き爪部８３ａ、前向き爪部８４ａ及び後係り合い部８２ａで支持しているので、レール１ａ自身に要求される強度が低下し、この要求強度に合わせてレール１ａの剛性を低くして製造コストを低減することが可能になる。
【００４３】
特に、前係り合い部を爪形状にする場合、爪は一方向に開くものであるので外力に対して強い方向と弱い方向とを有する特性があり、上記従来の引出し装置のようにレールの前端部に単一の爪部のみを設けたものでは、引出しの荷重および前後方向に加わる外力の双方に対して対応することが困難であるが、本実施形態では、前レール取付部７１ａは筐体１の内側に向かって開口しており、前係り合い部８１ａは、下向き爪部８３ａと、前向き爪部８４ａとを有し、複数の爪部の開く方向を互いに異なるようにしているので、下方に加わる荷重だけでなく、出し入れ時に働く前後方向への外力に対しても強い取付状態を得ることができる。なお、本実施形態では、前係り合い部８１ａは前向き爪部８４ａを有しているが、この前向き爪部８４ａの代わりを後向き爪部としても同様である。
【００４４】
上記のように、複数の爪部の開く方向を互いに異なるようにすると、単に開口する前レール取付孔では一部の爪部を差し込むと他部の爪部が差し込めず、同時に取り付けるのが難しいものであるが、本実施形態では、下向き爪部８３ａに対応する前レール取付部７１ａを構成する前レール取付孔７３ａは、下向き爪部８３ａが差し込まれた状態でレール１ａの前部を下方に移動させることにより下向き爪部８３ａと係り合うものであり、前向き爪部８４ａに対応する前レール取付部７１ａを構成する前レール取付孔７４ａは、レール１ａの下方への移動に伴って前レール取付部７１ａを構成する前レール取付孔７４ａに対応する前向き爪部８４ａと係り合うように、前レール取付部７１ａを構成する前レール取付孔７４ａの前後方向開口幅Ｗ２が前レール取付部７１ａを構成する前レール取付孔７４ａに対応する前向き爪部８４ａの前後方向幅Ｗ３より小さく形成されているので、レール１ａを下方に移動させると下向き爪部８３ａ及び前向き爪部８４ａが前レール取付部７１ａを構成する前レール取付孔７３ａ、７４ａに係り合い、複数の爪部の開く方向を互いに異なっていてもレール１ａを移動させる平易な作業でレール１ａを取り付けることが可能になる。
【００４５】
また、本実施形態では、後レール取付部７２ａ及び後係り合い部８２ａを、後レール取付部７２ａ及び後係り合い部８２ａを係り合わせた部位を支点としてレール１ａを回動可能とし、回動動作によって前係り合い部８１ａが前レール取付部７１ａに係り合うように構成されているので、前係り合い部８１ａを構成する下向き爪部８３ａ及び前向き爪部８４ａと前レール取付部７１ａを構成する前レール取付孔７３ａ、７４ａとの位置決めが自動的になされ、取付作業を平易化することができる。
【００４６】
さらに、前方に開口する筐体１においては、組立工程が進むにつれ筐体１に組み付けた部品によって前方以外の方向からの作業制約が生じる場合があるが、本実施形態では、後レール取付部７２ａは、前方に向かって開口しており、後係り合い部８２ａは、レール１ａの後部に設けられ後レール取付部７２ａが開口する向きの逆方向に向く後向き爪部であり、後係り合い部８２ａたる爪部をこの爪部の向く方向たる後方へ移動させることにより、後レール取付部７２ａと係り合わせるものであるので、レール１ａの前部を把持してレール１ａを前後に移動させるだけでレール１ａを取り付けることができ、レール１ａの取付作業の効率を向上させることができる。なお、本実施形態では、後レール取付部７２ａは前方に向かう開口であり後係り合い部８２ａは後向き爪部であるが、後レール取付部を後方に向かう開口とし、後係り合い部を前向き爪部としても同様である。
【００４７】
さらにまた、本実施形態では、前係り合い部８１ａを構成する爪部のうち下向き爪部８３ａの上方には、係り合い動作の最後に前レール取付部７１ａを構成する前レール取付孔７３ａの上縁に嵌り込む突起部８１ａ´が設けられているので、突起部８１ａ´がレール１ａの上方への移動を禁止し、レール１ａが外れることを防止するとともに、レール１ａのがたつきを低減させることができる。なお、本実施形態では、突起部８１ａ´を下向き爪部８３ａの上方に設けているが、前向き爪部８４ａの上方に設けてもよく、下向き爪部８３ａ及び前向き爪部８４ａの双方の上方に設けても同様である。
【００４８】
加えて、前係り合い部８１ａと前レール取付部７１ａとが係り合う部位のうちの少なくとも二箇所の間に、一部を切り欠いて肉盗み部Ｓｔを形成したので、レール１ａとロック機構６等他の機構との取り合いを解消して配置の自由度を向上させることができる。
【００４９】
なお、各部の具体的な構成は上述した実施形態のみに限定されるものではなく、本発明の趣旨を逸脱しない範囲で種々変形が可能である。また、本発明の引出し装置を適用して独立したワゴンを構成するなど、適用可能な収納家具も上記に限定されるものではない。
【００５０】
例えば、レール１ａを、図１０に示すように、前向き爪部８４ａに相当する前向き爪部１８４ａをローラＲｏの下方且つ前方に配置し、下向き爪部８３ａをローラの上方且つ後方に配置して、前係り合い部を少なくともローラＲｏの上下方向二箇所で前レール取付部に係り合うように構成したレール１０１ａにすると、さらに上下方向で荷重を各前係り合い部に分散することができ、引き出し時のレールの揺れを低減して引出しを的確に支持することが可能となる。
【００５１】
また、本実施形態では、ローラＲｏの前後方向両側に一つずつ爪部を設けて、二つの爪部で支持しているが、二つ以上の爪部で支持するようにしてもよい。
【００５２】
さらに、本実施形態では、前レール取付部７１ａが前レール取付孔７３ａ、７４ａの二つの孔を含むとしているが、対応する前係り合い部８１ａと係り合うことができれば、一つの孔でも二つ以上の孔でもよく、その形状は問わない。
【００５３】
その他、各部の具体的な構成は、上述した実施形態のみに限定されるものではなく、本発明の趣旨を逸脱しない範囲で種々変形が可能である。
【符号の説明】
【００５４】
１…………筐体
１ａ………レール
２…………引出し
７ａ………レール取付部
７１ａ……前レール取付部
７２ａ……後レール取付部
７３ａ……前レール取付孔
７４ａ……後レール取付孔
８１ａ……前係り合い部
８２ａ……後係り合い部
８３ａ……下向き爪部
８４ａ……前向き爪部
８１ａ´…突起部
Ｓｔ………肉盗み部
Ｒｏ………ローラ
【図１】
0005578505.tif 000002
【図２】
0005578505.tif 000003
【図３】
0005578505.tif 000004
【図４】
0005578505.tif 000005
【図５】
0005578505.tif 000006
【図６】
0005578505.tif 000007
【図７】
0005578505.tif 000008
【図８】
0005578505.tif 000009
【図９】
0005578505.tif 000010
【図１０】
0005578505.tif 000011